(57)【要約】【課題】調理台の側部に設けた引き出し収納空間に引き出しを配設した調理台あって、引き出しの収納スペースを制限することなく、引き出しの有効活用を図り、且つ地震発生時の安全性を確保した調理台を提供する。【解決手段】引き出し収納空間１１の底部の一側部と引き出しの底面の一側部との間に引き出し２０を前後にスライド自在に支持するレール部材３０を配設し、引き出し収納空間の底部のレール部材３０とは対位置にローラ円周面が垂直方向に（ローラ円周部が鉛直面に沿って）回転自在に支持されたガイドローラ４２を配設し、引き出し２０の底面に配設したガイドレール４３にガイドローラ４２を走行自在に収容したことを特徴とする。【選択図】図１
2009178458.tif 000002
【特許請求の範囲】
【請求項１】
レンジやグリルなどの調理器の側部に設けた引き出し収納空間に引き出しを配設してなる調理台において、
前記引き出し収納空間の底部の一側部と前記引き出しの底面の一側部との間に該引き出しを前後にスライド自在に支持するレール部材を配設し、
前記引き出し収納空間の底部の前記レール部材とは対位置にローラ円周面が垂直方向に回転自在に支持されたガイドローラを配設し、
前記引き出しの底面に配設したガイドレールに前記ガイドローラを走行自在に収容したことを特徴とする調理台。
【請求項２】
前記引き出し収納空間の底部の一側部に前後に伸びる収納空間側固定レールを配設すると共に、前記引き出しの底部の一側部に前後に伸びる引き出し側固定レールを固定し、両固定レールにスライド自在に係合する中間レールを介在させて両固定レールをスライド自在に連結することで前記レール部材を形成し、
前記ガイドレールの後端部を前記引き出しの底面に引き出し後方へ延長した状態で当該ガイドレールを固定し、前記ガイドレールに前記ガイドローラを当該ガイドレールの後端部まで走行自在に収容したことを特徴とする請求項1記載の調理台。
【請求項３】
前記引き出し収納空間を形成する少なくとも一方の内壁面に引き出し押さえ機構本体を配設すると共に、前記引き出し収納空間に配設した引き出しの一側部の外面を内方に凹設させて形成した溝を前記引き出し押さえ機構本体から突出するラッチの動作スペースとして確保し、
前記引き出しの後蓋の一側部を前記溝形成側と同側に凸設し、前記ラッチが前記溝に対して突出した際に当該ラッチを前記凸設した前記後蓋の一側部に当接させることを特徴とする請求項1または請求項２記載の調理台。
【請求項４】
前記引き出しの底面のガイドレールの後端を当該引き出しの後方に延長突出させ、
前記後方に延長突出したガイドレールの突出部の側面の一部を内方に切り起こして形成した切り起こし片を、前記引き出しの全部を引き出し収納空間から引き出したとき、ガイドローラに当接させて抜け止めストッパとして機能させ、前記切り起こしで形成された穴を引き出し押さえ機構本体から突出するラッチの動作スペース兼係合部として機能させることを特徴とする請求項３記載の調理台。
【発明の詳細な説明】
【技術分野】
【０００１】
本発明は、レンジやグリルなどの調理器の側部に設けた引き出し収納空間に引き出しを配置した調理台に関する。
【背景技術】
【０００２】
レンジやグリルなどの調理器を組み付けた調理台では、組み付けた調理器に隣接する側方に幅の狭い残余ペースが生じる。そこで、この残余スペースに引き出しを配設して収納スペースとして有用活用することが行われている。
【０００３】
この残余スペースに引き出しを配設した調理台として特許文献１に示す調理台が知られている。この調理台は、図１３から図１６に示すように、調理台本体１１０の調理器を組み付けた側部に引き出し収納空間１１１を有し、この引き出し収納空間１１１の底部と引き出し１２０の底部との間に該引き出しを前後にスライド自在に支持するレール部材１３０を設け、レール部材１３０とは反対位置の引き出し１２０の一側面と該側面に対向する引き出し収納空間１１１の内壁面との間にガイド部材１４０を設けている。
【０００４】
レール部材１３０は引き出し収納空間１１１の底部に前後方向に設けられたレール１３１と該レールに対向して引き出し１２０の底面に前後方向に設けられたレール１３２および両レールにスライド自在に係合する中間レール１３３とで構成されている。また、ガイド部材１４０は引き出しの一側部の外面を該引き出しの開閉領域（前後移動領域）の長さだけ内方に凹設して形成されたガイド溝１４１と、このガイド溝１４１に走行自在に収納したガイドローラ１４２とで構成されている。
【特許文献１】特開２００５−２３０３６４
【発明の開示】
【発明が解決しようとする課題】
【０００５】
しかしながら、このような特許文献１に記載の調理台は、引き出し１２０の一側面と該側面に対向する引き出し収納空間１１１の内壁面との間にガイド部材１４０を設けるために、引き出し１２０の外側面を該引き出しの開閉領域の長さだけ内方に凹設させてガイド溝１４１を形成しているため、そのガイド溝１４１を形成するために生じた内方への凹設によって、引き出し１２０の内容積が制限されるという問題があった。
【０００６】
また、引き出し１２０の一側面に形成されたガイド溝１４１は、引き出しの前後端まで構成されていないので、引き出しのフルスライド（引き出し全体を引き出し収納空間から完全に引き出すこと）ができない。このため、引き出しの奥に入れた物が出し難く、また引き出しの奥に物を入れ難いという問題があった。
【０００７】
本発明は係る課題を解決するためになされたもので、レンジやグリルなどの調理器の側部に設けた引き出し収納空間に引き出しを配設した調理台あって、引き出しの収納スペースを制限することなく、引き出しの有効活用を図り、且つ地震発生時の安全性を確保した調理台を提供することを目的とする。
【課題を解決するための手段】
【０００８】
上記の課題を解決するために本発明の請求項１に係る調理台は、
レンジやグリルなどの調理器の側部に設けた引き出し収納空間に引き出しを配設してなる調理台において、
前記引き出し収納空間の底部の一側部と前記引き出しの底面の一側部との間に該引き出しを前後にスライド自在に支持するレール部材を配設し、
前記引き出し収納空間の底部の前記レール部材とは対位置にローラ円周面が垂直方向に回転自在に支持されたガイドローラを配設し、
前記引き出しの底面に配設したガイドレールに前記ガイドローラを走行自在に収容したことを特徴としている。
【０００９】
また、本発明の請求項２に係る調理台は、請求項１記載の調理台において、
前記引き出し収納空間の底部の一側部に前後に伸びる収納空間側固定レールを配設すると共に、前記引き出しの底部の一側部に前後に伸びる引き出し側固定レールを固定し、両固定レールにスライド自在に係合する中間レールを介在させて両固定レールをスライド自在に連結することで前記レール部材を形成し、
前記ガイドレールの後端部を前記引き出しの底面に引き出し後方へ延長した状態で当該ガイドレールを固定し、前記ガイドレールに前記ガイドローラを当該ガイドレールの後端部まで走行自在に収容したことを特徴としている。
【００１０】
また、本発明の請求項３に係る調理台は、請求項１または請求項２記載の調理台において、
前記引き出し収納空間を形成する少なくとも一方の内壁面に引き出し押さえ機構本体を配設すると共に、前記引き出し収納空間に配設した引き出しの一側部の外面を内方に凹設させて形成した溝を前記引き出し押さえ機構本体から突出するラッチの動作スペースとして確保し、
前記引き出しの後蓋の一側部を前記溝形成側と同側に凸設し、前記ラッチが前記溝に対して突出した際に当該ラッチを前記凸設した前記後蓋の一側部に当接させることを特徴としている。
【００１１】
また、本発明の請求項４に係る調理台は、請求項３記載の調理台において、
前記引き出しの底面のガイドレールの後端を当該引き出しの後方に延長突出させ、
前記後方に延長突出したガイドレールの突出部の側面の一部を内方に切り起こして形成した切り起こし片を、前記引き出しの全部を引き出し収納空間から引き出したとき、ガイドローラに当接させて抜け止めストッパとして機能させ、前記切り起こしで形成された穴を引き出し押さえ機構本体から突出するラッチの動作スペース兼係合部として機能させることを特徴としている。
【発明の効果】
【００１２】
本発明によると、レンジやグリルなどの調理器の側部に設けた引き出し収納空間に引き出しを配設した調理台あって、引き出しの収納スペースを制限することなく、引き出しの有効活用を図り、且つ地震発生時の安全性を確保した調理台を提供することができる。
【発明を実施するための最良の形態】
【００１３】
本発明を実施するための最良の形態を説明するのに先立って、本発明の作用および効果について説明する。
【００１４】
本発明に係る調理台によると、引き出しの底面の一側部はレール部材で支持し該レール部材とは対位置をローラ円周面が垂直方向に回転自在にしたガイドローラを走行方向に収納したガイドレールで支持するようになっているので、引き出しを安定して支持することができるとともに、該引き出しの前後方向への移動を円滑の行うことができる。
【００１５】
また、引き出しの外側面を内方に凹設させてガイド溝を形成する必要がないので、引き出しの収納空間を最大限に確保することができる。
【００１６】
また、収納空間側固定レールと引き出し側固定レールとにスライド自在に係合する中間レールを介在させて両固定レールをスライド自在に連結した構成であるので、引き出した引き出しを中間レールで水平に保持することができ、引き出しを前後方向へ安定に移動させることができる。また、引き出し側固定レールの引き出しの後方へ延長した位置にローラに当接する受けを設けることにより、引き出しをフルスライドさせることができ、引き出しの特に奥における収納物の収納または取り出しを容易に行うことができる。
【００１７】
また、引き出し収納空間を形成する少なくとも一方の内壁面に引き出し押さえ機構本体を配設し、引き出し押さえ機構本体から突出するラッチの動作スペースとしての溝を引き出しの一側部の外面に内方に凹設させて形成し、引き出しの後蓋の一側部を溝形成側と同側に凸設し、ラッチが溝に対して突出した際に当該ラッチを凸設した後蓋の一側部に当接させる構成であるので、地震発生時に地震による振動で引き出し押さえ機構本体からラッチが溝内に突出して後蓋の一側部に当接することにより、引き出しが収納空間から飛び出すことを確実に防止することができる。
【００１８】
また、引き出しの底面に設けたガイドレールの後方への延長突出部の一部を切り起こして引き出しの抜け止めストッパとしての機能およびラッチの動作スペース兼係合部としての機能を持たせている。このため、引き出しの左右側面および底面のいずれにも内部に突出する加工を一切施す必要がなく、引き出し内部を全て有効に収納空間として利用することができる。しかも、上記２つの機能はガイドレールに１つの切り起こし加工を施すことにより得られるので、特別な加工を施すことなく、両機能を極めて簡単且つ容易に得ることができる。
【００１９】
以下、本発明の第１の実施形態を図面について説明する。図１は引き出し２０の前板２１を取り外して示す調理台本体１０の一部の正面図であり、図２は引き出し２０を完全に引き出した状態を示す斜視図である。また、図３は図２の状態を示す側面図であり、図４は引き出し２０を閉じた状態を示す側面図である。また、図５は図４の状態を示す平面図であり、図６は引き出し押さえ機構本体５０のラッチ５１が引き出し２０に作用していない状態を示す平面図である。また、図７は引き出し押さえ機構本体５０のラッチ５１が引き出しに作用した状態を示す平面図であり、図８はラッチ５１が突出していない引き出し押さえ機構本体５０を示す斜視図である。また、図９はラッチ５１が突出した引き出し押さえ機構本体５０を示す斜視図であり、図１０は内部に仕切り板２２を設けた引き出し２０を示す調理台の一部の正面図である。
【００２０】
図１乃至図５に示すように、第１の実施形態における調理台本体１０は、レンジやグリルなどの調理器６０を組み込み、この調理器６０の側部に引き出し収納空間１１を設け、この引き出し収納空間１１に前後方向にスライド可能に引き出し２０を配設している。この引き出し２０の前後方向へのスライドは、引き出し収納空間１１の底部の一側と引き出し２０の底部の一側との間に設けたレール部材３０および引き出し収納空間１１の底部の他側と引き出し２０の底部の他側との間に設けたガイド部材４０とによって行われる。
【００２１】
引き出し２０は、図２に示すように、引き出し収納空間１１と略同一の幅を有し、ここでは図示しない収納物の出し入れが容易なように深さが浅く、上面が開放され長手方向と垂直方向の断面が凹状の細長い矩形状をなし、その前面には引き出し収納空間１１の入口を覆う大きさの前板２１が取付けられ、内部には長手方向を複数に区分する仕切り板２２が設けられている。この仕切り板２２の引き出し２０に対する取付けは、図１０に示すように、引き出し２０の両側板の上縁に前後に亘って形成された円弧状部２９に、仕切り板２２の両側上端に設けた係合凹部２４を着脱自在に係合させるものである。
【００２２】
レール部材３０は、引き出し収納空間１１の底部において該引き出し収納空間の内側面にビス、溶接等で取付けられた前後方向に延在するレール（収納空間側固定レール）３１と該レールに対向して引き出し２０の底面に前後方向に延在して設けられたレール（引き出し側固定レール）３２および両レールにスライド自在に係合する中間レール３３とで構成されている。図示例は、レール３１を引き出し収納空間１１の底面から浮かせた状態で設けているが、このレール部材３０は引き出し収納空間１１の底面に直接設けてもよい。
【００２３】
ガイド部材４０は、引き出し収納空間１１の底面に立設したブラケット４１にローラ円周面が垂直方向に（ローラ円周部が鉛直面に沿って）回転自在に軸支されたガイドローラ４２と、ガイドローラ４２の底面およびブラケット４１と対向する側面を受けるように、引き出し底面に前後方向に延在させて設けたガイドレール４３とで構成されている。ガイドローラ４２は、図３に示すように、閉じた引き出しの前板内面が引き出し収容空間１１の前方開口部に圧接するように引き出し収納空間１１の入口部に設けられている。一方、ガイドレール４３は、図３乃至図７に示すように、引き出しの後方に延長突出しており、この突出部４３ａの端部近くにガイドローラ４２と係合する係合部４３ｂが設けている。
【００２４】
引き出し２０には奥側の少なくとも一側部の外面を内方に凹設させて形成された溝２５が備わっている。一方、引き出し収納空間１１の内壁面には地震等の振動発生時にラッチ５１が飛び出す引き出し押さえ機構本体５０が設けられている。この引き出し押さえ機構本体５０は引き出し２０が引き出し収納空間１１に完全に閉じたとき該引き出しの外側面に形成された溝２５にラッチ５１が対応する位置関係に設けられている。
【００２５】
本実施形態における調理台は、引き出し２０の底面の一側部をレール部材３０で支持しレール部材３０とは対位置をローラ円周面が垂直方向に回転自在にしたガイドローラ４２を走行方向に収納したガイドレール４３で支持するようになっているので、引き出し２０を安定して支持することができるとともに、引き出し２０の前後方向への移動を円滑の行うことができる。
【００２６】
また、従来の調理台のように引き出し２０の外側面を内方に凹設させてガイド溝を形成する必要がないので、引き出し２０の収納空間を最大限に確保することができる。
【００２７】
また、引き出し収納空間内の固定レール３１と引き出し２０の固定レール３２とにスライド自在に係合する中間レール３３を介在させて両固定レール３１，３２をスライド自在に連結した構成であるので、引き出した引き出し２０を中間レール３３で水平に保持することができ、引き出し２０を前後方向へ安定に移動させることができる。また、引き出し２０の固定レール３２の引き出し２０の後方へ延長した位置にガイドローラ４２に当接する係合部４３ｂを設けることにより、引き出し２０をフルスライドさせることができ、引き出し２０の特に奥における収納物の収納または取り出しを容易に行うことができる。
【００２８】
また、本実施形態における調理台は上述の構成を有しているので、図４乃至図７に示すように引き出し２０を閉じているときは、前板２１によって引き出し収納空間１１の入口を塞いでおり、調理台本体１０を正面から見たときの外観体裁がよい。また、引き出し２０を閉じた状態においては、前板２１の内面がガイドローラ４２に押圧されることになり、そのガイドローラ４２の弾性復元力がダンパーの役目を果たし、周囲の振動が加わっても引き出し２０が振動することはない。
【００２９】
また、図２、図３に示すように引き出し２０を、ガイドレール４３の奥側の突出部４３ａの先端付近に設けた係合部４３ｂがガイドローラ４２に係止するまで引き出すと、引き出し全体が引き出し収納空間１１の外側に引き出されることになり、引き出し２０の奥側に対する収納物の出し入れを容易に行うことができる。また、引き出し２０の内部は仕切り板２２で収納物の大きさに応じて区分けできるので、その区分けされた大きさに応じて収納物を分けて収納することができる。
【００３０】
また、引き出し２０を閉じている状態で地震等が発生して大きな振動が加わったときには、この振動によって引き出し押さえ機構本体５０のラッチ５１が図７および図９に示すように、引き出し２０の奥の外側面に形成された溝２５を動作スペースとして飛び出し、このラッチに引き出し２０の後蓋２９に形成した凸設部２３ａが当接する。このため、引き出し２０は開くことができなくなり、引き出し２０が不用意に飛び出す危険および飛び出した引き出し２０から収納物が周囲に散乱することを防止することができる。
【００３１】
以上説明したように、本実施形態がこのような構成を有することで、調理器の側部に設けた引き出し収納空間１１に配設する引き出し２０には、外側面の一部を内方に凹設させて前後方向に延在するガイド溝を形成する必要がなく、引き出しの内部への突出部を極めて少なくすることができる。この結果、引き出しの内部空間の有効活用を図り、十分な収納空間、使い勝手の向上を図ることができる。また、災害（緊急）時の安全性の確保等を図り得る調理台を提供することができる。
【００３２】
続いて、本発明の第２の実施形態について説明する。図１１および図１２は本発明の第２の実施形態を示すもので、図１１は引き出し２０の奥側の端部の拡大平面図、図１２は引き出し２０を引き出した引き出し収納空間１１の入口部の側面図である。第１の実施形態では地震等の振動発生時に飛び出したラッチ５１の動作スペースとして、引き出しの一側部の外面を内方に凹設させて溝２５を形成している。このため、溝２５を形成するための加工を必要とするとともに、溝２５に対応する部分が引き出し２０の内部に突出することによって該引き出しの収納空間をわずかではあるが狭めている。
【００３３】
そこで、第２の実施形態では、引き出し２０の底面に設けたガイドレール４３を該引き出しの後方に延長突出させ、その突出部４３ａの側面の一部を内方に切り起こして切り起こし片４３ｃを形成している。そして、引き出し２０の全体を収納空間１１から引き出したとき、図１２に示すように切り起こし片４３ｃはガイドローラ４２に当接して抜け止めストッパとして機能する。また、図１１に示すように、引き出しを閉じた状態において地震が発生して、そのときの振動で引き出し押さえ機構本体５０からラッチ５１が突出したとき、切り起こしでできた穴４３ｄはラッチ５１の動作スペースとして作用して該ラッチの穴内への進入を許容し、穴縁つまり切り起こし片４３ｃを係合部として機能させる。
【００３４】
以上のように構成することにより、引き出し２０の底面に設けたガイドレール４３に引き出し２０の抜け止めストッパとしての機能およびラッチ５１の動作スペースおよび係合部としての機能を持たせることができる。このため、引き出しの左右側面および底面のいずれにも内方に凹設する加工を一切施す必要がなく、引き出し内部を全て有効に収納空間として利用することができる。しかも、上記２つの機能はガイドレールに１つの切り起こし加工を施すことにより得られるもので、特別な加工を施すことなく、きわめて簡単且つ容易に得ることができる。
【００３５】
なお、第１および第２の実施形態は引き出し２０の底面の一側部はレール部材３０で支持し該レール部材とは対位置をガイド部材４０で支持する構成であったが、図１３乃至図１６に示す引き出し１２０の一側部の外面を内方に凹設させてガイド溝１４１を前後方向に形成し、このガイド溝１４１に引き出し収納空間１１の内壁面に支持されたガイドローラ１４２を走行自在に収納させた構成においても、上述したラッチ１５１を適用可能である。即ち、図１３乃至図１６に示す調理台の構造において引き出し収納空間１１の内壁面に引き出し押さえ機構本体１５０を設け、引き出し２０を閉じたとき引き出し押さえ機構本体５０に対向する引き出し位置に引き出し押さえ機構本体５０から突出するラッチ１５１の動作スペース兼係合部を設けておくことにより、地震等による振動発生時に飛び出したラッチ１５１が引き出し１２０の係合部に係合して、引き出し２０の飛び出すことを確実に防止することができる。
【図面の簡単な説明】
【００３６】
【図１】引き出しの前板を取り外して示す本発明の第１の実施形態による調理台の一部の正面図である。
【図２】引き出しを完全に引き出した状態を示す斜視図である。
【図３】図２の状態を示す側面図である。
【図４】引き出しを閉じた状態を示す側面図である。
【図５】図４の状態を示す平面図である。
【図６】引き出し押さえ本体のラッチが引き出しに作用していない状態を示す平面図である。
【図７】引き出し押さえ本体のラッチが引き出しに作用した状態を示す平面図である。
【図８】ラッチが突出していない引き出し押さえ本体を示す斜視図である。
【図９】ラッチが突出した引き出し押さえ本体を示す斜視図である。
【図１０】内部に仕切り板を設けた引き出しを示す調理台の一部の正面図である。
【図１１】本発明の第２の実施形態を示す引き出しの奥端部の拡大平面図である。
【図１２】引き出しを引き出した引き出し収納空間の入口部の側面図である。
【図１３】従来の調理台の一部を示す引き出し部の正面図である。
【図１４】図１３のXIV-XIV線に沿う引き出し部の縦断側面図である。
【図１５】引き出し部の平面図である。
【図１６】引き出し部の斜面図である。
【符号の説明】
【００３７】
１０  調理台本体
１１  引き出し収納空間
２０  引き出し
２１  前板
２２  仕切り板
２３  円弧状部
２３ａ    凸設部
２４  係合凹部
２５  溝
２９  後蓋
３０  レール部材
３１  引き出し収納空間内の固定レール
３２  引き出しの固定レール
３３  中間レール
４０  ガイド部材
４１  ブラケット
４２  ガイドローラ
４３  ガイドレール
４３ａ  突出部
４３ｂ  係合部
４３ｃ  切り起こし片
４３ｄ  穴
５０  引き出し押さえ機構本体
５１  ラッチ
６０  調理器
１１０  調理台本体
１１１  収納空間
１２０  引き出し
１３０  レール部材
１３１，１３２  レール
１３３  中間レール
１４０  ガイド部材
１４１  ガイド溝
１４２  ガイドローラ
【図１】
2009178458.tif 000003
【図２】
2009178458.tif 000004
【図３】
2009178458.tif 000005
【図４】
2009178458.tif 000006
【図５】
2009178458.tif 000007
【図６】
2009178458.tif 000008
【図７】
2009178458.tif 000009
【図８】
2009178458.tif 000010
【図９】
2009178458.tif 000011
【図１０】
2009178458.tif 000012
【図１１】
2009178458.tif 000013
【図１２】
2009178458.tif 000014
【図１３】
2009178458.tif 000015
【図１４】
2009178458.tif 000016
【図１５】
2009178458.tif 000017
【図１６】
2009178458.tif 000018